(57)【要約】【課題】室内部からの吹き出し温度に影響を与えることなく、室内空気を用いて、室内部に設けられた制御部を十分に冷却する。【解決手段】空気調和機は、室内に配される室内部と、仕切壁を介して室内部と隣接し、一体的に設けられた室外部と、室内部に配される送風通路と、送風通路に配される室内熱交換器と、室内熱交換器で熱交換された空気を室内に送風する室内ファンと、室外部に配される室外熱交換器と、室外方向かつ室外熱交換器に送風する室外ファンと、室内部に送風通路に対して隔離して配され電装部品を収容する電装部と、電装部内の空気を室外部に導く通風路と、を含む。【選択図】図６
2012154541.tif 000002
【特許請求の範囲】
【請求項１】
室内に配される室内部と、
仕切壁を介して前記室内部と隣接し、一体的に設けられた室外部と、
前記室内部に配される送風通路と、
前記送風通路に配される室内熱交換器と、
前記室内熱交換器で熱交換された空気を室内に送風する室内ファンと、
前記室外部に配される室外熱交換器と、
室外方向かつ前記室外熱交換器に送風する室外ファンと、
前記室内部に前記送風通路に対して隔離して配され電装部品を収容する電装部と、
前記電装部内の空気を前記室外部に導く通風路と、
を含むことを特徴とする空気調和機。
【請求項２】
前記通風路の一端は前記室外ファンの吸気側に配されることを特徴とする請求項１に記載の空気調和機。
【請求項３】
前記室内ファンを回転させる室内ファンモーターを冷却する冷却ファンが前記室外部に設けられ、
前記通風路は前記室外部に前記電装部内の空気を導き、
前記冷却ファンは前記電装部から前記冷却ファン方向に空気を流す方向で回転することを特徴とする請求項１又は２に記載の空気調和機。
【請求項４】
前記室内ファンを回転させる室内ファンモーターを冷却する冷却ファンが前記通風路の途中に設けられ、
前記通風路は前記室外ファンの吸気側に前記電装部内の空気を導き、
前記冷却ファンは前記電装部から前記室外部方向に空気を流す方向で回転することを特徴とする請求項１乃至３の何れか１項に記載の空気調和機。
【請求項５】
前記室内ファンモーターは両軸式のモーターであり、前記室内ファンと前記冷却ファンを回転させることを特徴とする請求項３又は４に記載の空気調和機。
【請求項６】
前記冷却ファンは前記通風路をケーシングとしたシロッコファンであることを特徴とする請求項３又は４記載の空気調和機。
【発明の詳細な説明】
【技術分野】
【０００１】
本発明は室内機と室外機を一体的に設ける空気調和機に関する。
【背景技術】
【０００２】
空気調和機には室内機（例えば、室内熱交換器、室内ファンなどを含む）と室外機（例えば、室外熱交換器、室外ファン、圧縮機などを含む）を一体的にしたものがある。そして、ファンや熱交換機など、空気調和機に含まれる各部の動作を制御するため、制御部が空気調和機内に設けられる。例えば、制御部はＣＰＵ、メモリー、マイコン、各種チップ、素子等やこれらを実装した基板を含む。そして、制御部やその他の回路や素子や基板は電装品として１つの筐体に収められる。例えば、電装品を格納した筐体（函体）を「電装ボックス」と呼ぶこともある。
【０００３】
電装品はジュール熱により発熱する。熱暴走や回路や素子の破損を防ぐため、電装品で生ずる熱を排出する手だてを講じる場合がある。電装品の排熱を行う一体型空気調和機の発明の一例が特許文献１に開示されている。具体的に特許文献１には室外機の送風機が複数個であり、それぞれの送風機がケーシングに包まれ、室外機の送風機の中間部に送風機用電動機と電装品を載置した一体型空気調和機が記載されている。言い換えると、電装品やモーターを室外機内の送風経路内に配して、熱を室外に排出しようとする（特許文献１：第２頁、第４頁、図３、図５等参照）。
【先行技術文献】
【特許文献】
【０００４】
【特許文献１】特開平４−１５１４４０号公報
【発明の概要】
【発明が解決しようとする課題】
【０００５】
しかし、上記従来の空気調和機では、電装品類は室外機側に設けられる。そのため、雨水が電装品としての回路や素子や基板などにつく可能性がある。雨水がつくとショートなど、回路や素子や基板の故障を引き起こす場合がある。そのため、雨水がつかないように、対策を講じる必要がある。具体的にいえば、電装品を収容した筐体内に雨水が浸入しないように、筐体の隙間や穴を塞いでシールすることになる。そのため、雨水が付くことを防ぐためのコスト、手間が生じてしまうという問題がある。更に言えば、シールすることにより、熱が逃げづらくなり、適切に排熱できない場合も生じ得る。
【０００６】
室外機側に電装品を設けると、上記のような不具合が生ずるので、室内機内に電装品を設置することがある。しかし、室内機に電装品を設けるとき、特許文献１のように、排熱のために電装部を室内機内の送風経路内に配することはできない。この点につき、図１０を用いて、より詳細に説明する。図１０は上方模型的断面図であり、制御部（制御回路）などの電装品２０１を室内機２０２側に設けた従来の一体型空気調和機２００の一例を示す。
【０００７】
図１０において、電装品２０１を収めた筐体２０１ａ（電装ボックス）が室内機２０２内に設けられる。そして、図１０に示すように、室内機２０２と室外機２０３は仕切壁２０４によって隔てられる。図１０に破線で示すように、室内機２０２には、室内に送風するための室内ファン２０２ｆ（本例では、シロッコファンを例示）が設けられる。又、図１０は室外機２０３内に、室外ファン２０３ｆと、室外ファン２０３ｆを回転させる室外ファンモーター２０３ｍが設けられた例を示している。
【０００８】
図１０に示すように、室内ファン２０２ｆの配置などの関係で、一般に、室内機２０２の熱交換器は室内空気の吸込口近傍に設けられる。そして、電装品２０１は室内機２０２の熱交換器よりも気流方向において下流側に配置される。そのため、室内機２０２で電装品２０１に送風すると、熱交換後の空気に電装品２０１で温められた空気が混じる。そうすると、室内への吹き出し温度を所望の温度に合わせることが難しくなる。従って、電装品２０１は室内機２０２での送風経路内には従来配されていない。
【０００９】
これらの理由から、現状、電装部の筐体（電装ボックス）に通気孔を設け、自然通気による冷却が行われている。しかし、自然通気による冷却のみでは冷却能力が不十分な場合もあり得る。
【００１０】
本発明は室内部からの吹き出し温度に影響を与えることなく、室内空気を用いて室内部に設けられた電装部を十分に冷却することを目的とする。
【課題を解決するための手段】
【００１１】
上記目的を達成するために本発明に係る空気調和機は室内に配される室内部と、仕切壁を介して前記室内部と隣接し、一体的に設けられた室外部と、前記室内部に配される送風通路と、前記送風通路に配される室内熱交換器と、前記室内熱交換器で熱交換された空気を室内に送風する室内ファンと、前記室外部に配される室外熱交換器と、室外方向かつ前記室外熱交換器に送風する室外ファンと、前記室内部に前記送風通路に対して隔離して配され電装部品を収容する電装部と、前記電装部内の空気を前記室外部に導く通風路と、を含むことを特徴とする
【００１２】
この構成によれば、通風路は電装部内の空気を室外部に導く。これにより、室外ファンが動作して室外部内の空間が負圧となれば、電装部から室外部方向への空気の流れが生じる。従って、電装部冷却のためのモーターやファンを別途設けることなく、電装部近傍の温められた空気を室外部方向へ流すことができる。そして、室内空気を用い、電装部を確実、的確に冷却することができる。又、電装部により温められた空気は室内に吐出する空気に混入しないので、室内への吹き出し温度に影響を与えない。尚、例えば、電装部はＣＰＵ、メモリー、マイコン、各種チップ、素子等を実装した制御基板であり、通電により動作する回路を含む。又、場合により、電装部には基板駆動用の電源回路（例えば、コンバーター等）など、電気的な回路や素子が含まれる。
【００１３】
又、室内部に電装部を設けても、電装部を十分に冷却することができる。従って、電装部を室外部に設ける場合に比べ、電装部に雨水がつかず、電装部に雨水が付かないようにするための対策、処理を行う必要もない。言い換えると、電装部に雨水が付くことを防ぐためのコスト、手間は一切生じない。
【００１４】
また、上記構成の空気調和機において、前記通風路の一端は前記室外ファンの吸気側に配されることも好ましい。この構成によれば、室外ファンが動作すると負圧となる位置に通風路の一端が配されるので、確実かつ強い電装部から室外部方向への空気の流れを生じさせることができる。
【００１５】
また、上記構成の空気調和機において、前記室内ファンを回転させる室内ファンモーターを冷却する冷却ファンが前記室外部に設けられ、前記通風路は前記冷却ファンに前記電装部内の空気を導き、前記冷却ファンは前記電装部から前記冷却ファン方向に空気を流す方向で回転することも好ましい。
【００１６】
この構成によれば、冷却ファンは電装部から室外部方向に空気を流すように回転する。これにより、室内ファンモーターを冷却しつつ、冷却ファンにより電装部から室外部方向に空気を送ることができる。従って、別途モーターやファンを設けることなく、電装部から室外部に向けての空気の流れを冷却ファンでも作ることができ、電装部を冷却することができる。又、冷却ファンは室内ファンモーターを冷却するために用いられるとともに、電装部冷却用のファンとしても用いられるので、１つのモーターを効率よく用いることができる。
【００１７】
また、上記構成の空気調和機において、前記室内ファンを回転させる室内ファンモーターを冷却する冷却ファンが前記通風路の途中に設けられ、前記冷却ファンは前記電装部から前記室外部方向に空気を流す方向で回転することも好ましい。
【００１８】
この構成によれば、電装部から室外部への通風経路の途中に設けられた冷却ファンは電装部から室外部方向に空気を流すように回転する。このように、冷却ファンを通風路の途中に設けることにより、冷却ファンにより電装部から室外部方向により多くの空気を確実に送ることができる。従って、電装部から室外部に向けて流れる空気の量を増やすためのモーターやファンを別途設けることなく、電装部の冷却能力を高めることができる。又、冷却ファンは室内ファンモーターを冷却するために用いられるとともに、電装部冷却用のファンとしても用いられ、１つのモーターを効率よく用いることができる。
【００１９】
また、本発明は上記構成の空気調和機において、前記室内ファンモーターは両軸式のモーターであり、前記室内ファンと前記冷却ファンを回転させることも好ましい。
【００２０】
この構成によれば、室内ファンモーターは両軸式のモーターであり、室内ファンと冷却ファンを回転させる。これにより、室内に送風する上で必須の室内ファンを回転させる室内ファンモーターを回転させるだけで、室内ファンモーターの冷却を行うと共に、電装部から室外部に流れる空気の量を増やして電装部の冷却能力を高めることができる。従って、モーターの設置数を増やすことなく、電装部の冷却能力を向上させることができる。
【００２１】
また、本発明は上記構成の空気調和機において、前記冷却ファンは前記通風路をケーシングとしたシロッコファンであることも好ましい。
【００２２】
この構成によれば、冷却ファンは通風路をケーシングとしたシロッコファンである。これにより、電装部から冷却ファン（室内ファンモーター）を経て室外部に流れる空気の量を十分に増やしやすくなり、電装部やモーターの冷却能力を高めることができる。
【発明の効果】
【００２３】
本発明によると、室内部からの吹き出し温度に影響を与えることなく、室内側の空気を用いて電装部の冷却を行うことができる。
【図面の簡単な説明】
【００２４】
【図１】第１の実施形態に係る空気調和機を正面右斜め上方からみた斜視図である。
【図２】第１の実施形態に係る空気調和機の右側面断面図である。
【図３】第１の実施形態に係る空気調和機の上面図である。
【図４】第１の実施形態に係る空気調和機を背面左斜め上方からみた斜視図である。
【図５】第１の実施形態に係る空気調和機のハードウェア構成の一例を示すブロック図である。
【図６】第１の実施形態に係る空気調和機を上面方向からみた模型的断面図である。
【図７】第２の実施形態に係る空気調和機を正面右斜め上方からみた斜視図である。
【図８】第２の実施形態に係る空気調和機を上面方向からみた模型的断面図である。
【図９】第３の実施形態に係る空気調和機を上面方向からみた模型的断面図である。
【図１０】電装部を室内機側に設けた従来の一体型空気調和機の一例を示す上方模型的断面図である。
【発明を実施するための形態】
【００２５】
（空気調和機１の概略構成）
以下、本発明の実施形態を図１〜９を用いて説明する。まず、図１〜４を用いて、第１の実施形態に係る空気調和機１の概略構成を説明する。図１は第１の実施形態に係る空気調和機１を正面右斜め上方からみた斜視図である。図２は第１の実施形態に係る空気調和機１の右側面断面図である。図３は第１の実施形態に係る空気調和機１の上面図である。図４は第１の実施形態に係る空気調和機１を背面左斜め上方からみた斜視図である。尚、説明の便宜上、図１、図３、図４は外装カバー３０（図２参照）を取り外した状態の空気調和機１を示している。
【００２６】
そして、図１〜図４の各図に示すように、空気調和機１は室内に配される室内部２と室内部２に隣接して室外に配される室外部４とを有する。言い換えると、本実施形態の空気調和機１は室内部２と室外部４が一体型である。
【００２７】
室内部２正面には吸込口２１が設けられる（図２参照）。一方、室外部４の正面には室外熱交換器４２が設けられる（図４参照）。以下の説明において、吸込口２１側を前側、室外熱交換器４２側を後側（背面側）と称する。また、吸込口２１に正面対峙した際の右側及び左側を空気調和機１の右側、左側と称する。
【００２８】
室内部２と室外部４は底板３上に設置され、仕切壁５で前後に分離される。室内部２は底板３、仕切壁５及び外装カバー３０によって外側を囲まれた筐体２０を形成する。筐体２０内の右端部には回路や各種素子などの電装部品を含む制御部６（電装部に相当）が設けられる（図３参照）。室外部４も同様に底板３、仕切壁５及び外装カバー３０によって外側を囲まれた筐体４０を形成する。
【００２９】
まず、室外部４を説明する。図１に示すように、室外部４には冷凍サイクルを運転する圧縮機４１が右側の端部に配される。冷媒管４７を介して圧縮機４１に接続される室外熱交換器４２が室外部４の背面に配される。室外ファン４３は室外熱交換器４２に対峙して左右方向の中央部に配される。室外ファン４３は室外熱交換器４２に向けて送風し、室外熱交換器４２を冷却する。室外ファン４３は例えば、プロペラファンである。室外ファン４３及び室外熱交換器４２はハウジング４４内に設置される。ハウジング４４によって室外ファン４３から気流を室外熱交換器４２に導くダクトが形成される。ハウジング４４はブラケット４５を介して仕切壁５に支持される。
【００３０】
図３等に示すように、室内部２の筐体２０内に外気を導入するため開閉する換気ダンパ３１が仕切壁５の左の端部に設けられる。後述する室内熱交換器２７の結露水は底板３上に排水され、室外ファン４３の羽根は底板３に溜まる結露水に一部浸漬する。室外ファン４３の回転によって結露水が室外熱交換器４２に向けて放散される。これにより、室外熱交換器４２は気化熱により、更に冷却される。
【００３１】
次に、室内部２を説明する。室内部２を覆う外装カバー３０の前面には吸込口２１が開口する（図２参照）。そして、吹出口２２が吸込口２１の上方で開口する。室内部２内には吸込口２１と吹出口２２とを連結する送風ダクト２４によって送風通路２３が形成される（経路の一例を図２に白抜矢印で図示）。図２に示すように、送風ダクト２４は外装カバー３０を取り外した際に着脱自在のダクト部材２９を上部に有する。送風通路２３の吹出口２２近傍の下壁はダクト部材２９により形成される。
【００３２】
図２に示すように、送風通路２３内には室内に向けて送風を行う室内ファン２５ａが設けられる。本実施形態では室内ファン２５ａとしてクロスフローファンを用いる。尚、後述する第２、第３の実施形態で説明するように、室内ファン２５ａは、例えば、シロッコファンなど、他種のファンでもかまわない。
【００３３】
風向を可変するルーバー２６が送風通路２３内の吹出口２２の近傍に設けられる。室内ファン２５ａと吸込口２１との間に、冷媒管４７を介して圧縮機４１に接続される室内熱交換器２７が配される。室内ファン２５ａと室内熱交換器２７との間には加熱部２８が配される。加熱部２８は例えば、複数のＰＴＣヒータを含み、通電により発熱し空気を暖める。室内ファン２５ａにより、吸込口２１から加熱部２８及び室内熱交換器２７と熱交換する気流が送風通路２３内に形成される。室内熱交換器２７及び加熱部２８の上方はダクト部材２９により覆われる。加熱部２８はダクト部材２９を取り外すことにより、着脱自在である。
【００３４】
（空気調和機１の制御系統）
次に、図５を用いて、第１の実施形態に係る空気調和機１の制御系統の一例を説明する。図５は第１の実施形態に係る空気調和機１のハードウェア構成の一例を示すブロック図である。
【００３５】
空気調和機１は各部を制御する制御部６を有する。制御部６はＣＰＵ６１や各種チップ、素子などを実装する回路基板を含む。例えば、制御部６は制御を行ううえでの中央演算処理装置としてＣＰＵ６１を有する。制御部６は本実施形態の空気調和機の電装部の一部である。制御部６は、筐体６０を含み、回路基板は筐体６０内に収められつつ室内部２内に配される（詳細は後述、図６参照）。そして、制御部６には圧縮機４１、室内ファン２５ａを回転させる室内ファンモーターＭ２（送風機）、室外ファン４３を回転させる室外ファンモーターＭ４、加熱部２８、操作部７などが接続される。
【００３６】
操作部７は使用者からの操作信号を受け付ける。例えば、操作部７は筐体２０の表面に設けられた操作ボタンである。あるいは、操作部７は空気調和機１のリモートコントローラからの操作信号を受信する受信回路である。この操作部７により、使用者は空気調和機１の運転指示や設定入力を行える。
【００３７】
記憶部６２はＲＯＭ及びＲＡＭから成り、空気調和機１の動作プログラムや設定条件等を記憶するとともに、制御部６の演算の一時記憶を行う。尚、記憶部６２を制御部６の外部に接続しているが、記憶部６２も制御部６の筐体６０内に格納してもよい。そのため、制御部６の内部に、実装する形態で記憶部６２を設けてもよい。
【００３８】
温度検知部６３は例えば、温度センサであり、検知対象の温度により出力電圧が異なる。制御部６は温度検知部６３の出力電圧に基づき、室内温度を検知する。又、制御部６は加熱部２８への通電を制御し、加熱部２８のＯＮ／ＯＦＦを行うことができる。
【００３９】
制御部６は冷房運転では、室内熱交換器２７が冷凍サイクルの低温側の蒸発器となり、室外熱交換器４２が冷凍サイクルの高温側の凝縮器となるように、圧縮機４１を冷凍サイクルで運転させる。これにより、室外熱交換器４２は室外ファン４３により冷却されて放熱する。又、室内ファン２５ａの駆動により、室内の空気が吸込口２１から送風通路２３内に流入する。そして、室内熱交換器２７と熱交換して降温された空気が吹出口２２から室内に送出される。これにより、室内の冷房が行われる。
【００４０】
また、制御部６は暖房運転では、室内熱交換器２７が冷凍サイクルの高温側の凝縮器となり、室外熱交換器４２が冷凍サイクルの低温側の蒸発器となるように、圧縮機４１を冷凍サイクルで運転させる。これにより、室外熱交換器４２は室外ファン４３により外気と熱交換して吸熱する。室内ファン２５ａの駆動によって室内の空気が吸込口２１から送風通路２３内に流入する。そして、室内熱交換器２７と熱交換して昇温された空気は吹出口２２から室内に送出される。これにより、室内の冷房が行われる。
【００４１】
尚、空気調和機１では圧縮機４１の駆動による暖房運転と、加熱部２８の駆動による暖房運転とを切り換えることができる。また、加熱部２８が駆動されると（通電がなされると）、送風通路２３内の空気が加熱部２８により温められる。加熱部２８により昇温された空気は吹出口２２から室内に送出される。このように、本実施形態の空気調和機１には制御を行う制御部６が設けられる。
【００４２】
（制御部６の冷却）
次に、図６を用いて、第１の実施形態に係る空気調和機１での制御部６の冷却について説明する、図６は第１の実施形態に係る空気調和機１を上面方向からみた模型的断面図である。
【００４３】
まず、図６に示すように、室外ファン４３を回転させる室外ファンモーターＭ４が仕切壁５を隔て、室外部４側に設けられる。室外ファン４３が回転することにより室外部４の内部の空気が室外に吐き出される。
【００４４】
そして、図６に示すように、本実施形態の空気調和機１には制御部６が設けられる。制御部６は箱形の筐体６０（電装ボックス）を含み、回路や素子や基板は筐体６０内に収められる。電装部品を収容する制御部６（電装部）は、室内部２の送風通路２３に対して隔離して配される。言い換えると、制御部６（筐体６０）は、壁を隔てて送風通路２３外に別経路として設けられる。尚、本実施形態の空気調和機１では、制御部６は空気調和機１の下方に設けられ、室内ファン２５ａや室外ファン４３は制御部６よりも上方に設けられる。そのため、図４や以下の図面では、一点鎖線により制御部６の設置位置が室内ファン２５ａや室外ファン４３よりも下方であることを示している。
【００４５】
そして、制御部６と室外部４を結ぶように通風路８が設けられる。室内部２と室外部４が一体的であるので、困難無く、低コストで制御部６と室外部４を結ぶように通風路８を設けることができる。通風路８のうち、制御部６側の端は制御部６の筐体６０に差し込まれる。又、通風路８のうち、室外部４側の端は室外ファン４３の後方位置（吸気側）に配される。言い換えると、室外ファン４３が回転すると、空気が室外ファン４３に向けて流れ込む空間に、通風路８のうち室外部４側の端が位置する。又、例えば、制御部６の筐体６０の正面側には筐体６０内に室内空気を取り入れるための取入孔８１が設けられる。取入孔８１はルーバー状に設けられてもよい。
【００４６】
そして、室外ファン４３が回転すると、室外部４側が負圧となる。これにより、気流が生じ、室内側の空気は制御部６を経て室外部４に流入する。そして、温められた空気は室外ファン４３により室外部４に排出される。この空気の流れの一例を図６に白抜矢印で示す。
【００４７】
気流は制御部６を通るので、制御部６で生じた熱により温められた空気は通風路８を通って室外部４方向に流れる。そして、室内から制御部６に向けて空気が流れ込む。このように、制御部６に熱が籠もらず、温度は上がりづらくなる。運転中の制御部６の温度は室温や、制御部６が生ずる熱量や、冷却可能な熱量との兼ね合いで定まる。しかし、従来の制御部６の筐体６０に通気孔を設けるだけの、自然対流による冷却に比べ、制御部６の温度は低く維持される。
【００４８】
尚、制御部６を十分に冷却できるように、通風路８の室外部４側の端は室外ファン４３から予め定められた範囲以内の近傍に配してもよい。例えば、実験により、室外ファン４３に対し、通風路８の室外部４側の端の位置を変えつつ、制御部６から室外部４に向けて送られる風量や風圧を確認する。そして、風量や風圧が所望の値を超える位置の範囲を予め定め、通風路８の一端が予め定められた範囲に収まるように、通風路８の取付や設計を行う。
【００４９】
このようにして、本実施形態の空気調和機１は、室内に配される室内部２と、仕切壁を介して室内部２と隣接し、一体的に設けられた室外部４と、室内部２に配される送風通路２３と、送風通路２３に配される室内熱交換器２７と、室内熱交換器２７で熱交換された空気を室内に送風する室内ファン２５ａと、室外部４に配される室外熱交換器４２と、室外方向かつ室外熱交換器４２に送風する室外ファン４３と、室内部２に送風通路２３に対して隔離して配され電装部品を収容する電装部（制御部６や記憶部６２や筐体６０）と、電装部内の空気を室外部４に導く通風路８と、を含む。
【００５０】
通風路８は電装部（制御部６や記憶部６２や筐体６０）内の空気を室外部４に導く。これにより、室外ファン４３が動作して室外部４内の空間が負圧となれば、電装部から室外部４方向への空気の流れが生じる。従って、電装部冷却のためのモーターやファンを別途設けることなく、電装部近傍の温められた空気を室外部４方向へ流すことができる。そして、室内空気を用い、電装部を確実、的確に冷却することができる。又、電装部により温められた空気は室内に吐出する空気に混入しないので、室内への吹き出し温度に影響を与えない。尚、例えば、電装部はＣＰＵ、メモリー、マイコン、各種チップ、素子等を実装した制御基板であり、通電により動作する回路を含む。又、場合により、電装部には基板駆動用の電源回路（例えば、コンバーター等）など、電気的な回路や素子が含まれる。
【００５１】
又、室内部２に電装部（制御部６や記憶部６２や筐体６０）を設けても、電装部を十分に冷却することができる。よって、電装部の熱による暴走や故障がなく、空気調和機の信頼性を高めることもできる。又、電装部を室外部４に設ける場合に比べ、電装部に雨水がつかず、電装部に雨水が付かないようにするための対策、処理を行う必要もない。言い換えると、電装部に雨水が付くことを防ぐためのコスト、手間は一切生じない。
【００５２】
又、通風路８の一端は室外ファン４３の吸気側に配される。室外ファン４３が動作すると負圧となる位置に通風路８の一端が配されるので、確実かつ強い電装部（制御部６や記憶部６２や筐体６０）から室外部４方向への空気の流れを生じさせることができる。
【００５３】
又、通風路８の室外部４側の端が室外ファン４３から遠ければ、制御部６から室外部４に流れる空気の量が十分な量とならない場合がある。しかし、室外部４側の通風路８の端は室外ファン４３から所定距離の範囲内に配される。これにより、室外部４側の通風路８の端をある程度は室外ファン４３に近づけられ、制御部６から室外部４に流れる風量や風圧を予め定められたレベル以上にすることができ、制御部６を適切に冷却することができる。
【００５４】
（第２の実施形態）
次に、図７、図８を用いて、第２の実施形態に係る空気調和機１と制御部６の冷却を説明する。図７は第２の実施形態に係る空気調和機１を正面右斜め上方からみた斜視図である。図８は第１の実施形態に係る空気調和機１を上面方向からみた模型的断面図である。
【００５５】
第１実施形態では、室内ファン２５ａとしてクロスフローファンを用いる例を説明した。第２の本実施形態は、クロスフローファンに換えてシロッコファンを室内ファン２５ｂとして用いる点や室内ファンモーターＭ２を冷却する冷却ファン９１を設ける点で第１の実施形態と異なる。尚、その他の点は第１の実施形態と同様でよい。そこで、第１の実施形態と共通する部分については特に説明する場合を除き、説明、図示を省略する。
【００５６】
図７に示すように、本実施形態の空気調和機１の室内機２の内部の送風通路２３内にシロッコファンが室内ファン２５ｂとして設けられる。本実施形態の室内ファン２５ｂは吸込口２１から室内熱交換器２７を経て室内機２内に吸い込まれた空気を送風通路２３の上方に向けて吹き出すように回転する。これにより、熱交換後の空気が吹出口２２から吹き出される。言い換えると、シロッコファンも室内ファンとして用いることができる。尚、図７では図１や図２で示した吹出口２２やダクト部材２９を取り除いた状態を示している。
【００５７】
次に、図８を用いて、第２の実施形態に係る空気調和機１での制御部６の冷却を説明する。図８では、破線で室内部２内の室内ファン２５ｂ（シロッコファン）を示している。そして、仕切壁５を貫くように、室内ファン２５ｂを回転させる室内ファンモーターＭ２が設けられる。室内ファン２５ｂは室内部２の吹出口２２に向けて空気を送り出す。又、第２の実施形態の室内ファンモーターＭ２は両軸タイプのモーターである。そのため、図８に示すように、室内ファンモーターＭ２の室内部２側に室内ファン２５ｂが設けられる。又、室内ファンモーターＭ２の室外部４側に室内ファンモーターＭ２を冷却するため、冷却ファン９１（自冷ファン）が設けられる。そして、室内ファン２５ｂが回転すると、冷却ファン９１も回転する。
【００５８】
又、室外ファン４３を回転させる室外ファンモーターＭ４が仕切壁５を隔て、室外部４側に設けられる。室外ファン４３が回転することにより室外部４の内部の空気が室外に吐き出される。
【００５９】
そして、図８に示すように、第２の実施形態の空気調和機１でも制御部６が設けられる。又、制御部６は箱形の筐体６０（電装ボックス）を含み、回路や素子や基板は筐体６０内に収められる点も第１の実施形態と同様である。尚、図７には制御部６の筐体６０の一例を示している。
【００６０】
そして、制御部６と室外部４を結ぶように通風路８が設けられる点も第１の実施形態と同様である。具体的には、通風路８のうち、制御部６側の端は制御部６の筐体６０に差し込まれる。又、通風路８のうち、室外部４側の端は室外ファン４３の後方位置（吸気側）に配される。
【００６１】
そして、室外ファン４３が回転すると、室外部４側が負圧となる。これにより、気流が生じ、室内側の空気は制御部６を経て室外部４に流入する。そして、温められた空気は室外ファン４３により室外部４に排出される。この空気の流れの一例を図８に白抜矢印で示す。
【００６２】
第１の実施形態と同様に、気流は制御部６を通るので、制御部６で生じた熱により温められた空気は通風路８を通って室外部４方向に流れる。そして、室内から制御部６に向けて空気が流れ込む。又、制御部６を十分に冷却できるように、通風路８の室外部４側の端は室外ファン４３から予め定められた範囲以内の近傍に配してもよい点は第１の実施形態と同様である。
【００６３】
更に、本実施形態では、冷却ファン９１（自冷ファン）が設けられる。そして、室外ファン４３が停止していても、冷却ファン９１を回転させることで、室外部４内を負圧として制御部６から室外部４に空気を導くこともできる。又、室外ファン４３とともに冷却ファン９１が回転すると、室内ファン４３のみが回転するときよりも制御部６から室外部４に向けて強い空気の流れを生成することができる。
【００６４】
このようにして、第２の実施形態では通風路８は制御部６と、室外ファン４３に向けて空気が流れる室外部４内の空間とを結ぶので第１の実施形態と同様の効果を有する。更に、本実施形態の空気調和機１では、室内ファン２５ｂを回転させる室内ファンモーターＭ２を冷却する冷却ファン９１が室外部４に設けられ、通風路８は室外部４（冷却ファン９１方向に）に電装部（制御部６や記憶部６２や筐体６０）内の空気を導き、冷却ファン９１は電装部から冷却ファン９１（室外部４）方向に空気を流す方向で回転する。
【００６５】
これにより、室内ファンモーターＭ２を冷却しつつ、冷却ファン９１により電装部から室外部４方向に空気を送ることができる。従って、別途モーターやファンを設けることなく、電装部から室外部４に向けての空気の流れを冷却ファン９１でも作ることができる。又、冷却ファン９１は室内ファンモーターＭ２を冷却するために用いられるとともに、電装部冷却用のファンとしても用いられ、１つのモーターを効率よく用いることができる。
【００６６】
又、室内ファンモーターＭ２は両軸式のモーターであり、室内ファン２５ｂと冷却ファン９１を回転させる。これにより、室内に送風する上で必須の室内ファン２５ｂを回転させる室内ファンモーターＭ２を回転させるだけで、室内ファンモーターＭ２の冷却を行うと共に、電装部（制御部６や記憶部６２や筐体６０）から室外部４に流れる空気の量を増やして電装部（制御部６や記憶部６２や筐体６０）の冷却能力を高めることができる。従って、モーターの設置数を増やすことなく、電装部（制御部６や記憶部６２や筐体６０）の冷却能力を向上させることができる。
【００６７】
（第３の実施形態）
次に、図９を用いて、第３の実施形態に係る空気調和機１を説明する。図９は第３の実施形態に係る空気調和機１を上面方向からみた模型的断面図である。尚、図９では室外ファン４３の表示を省略している。
【００６８】
第３の実施形態の空気調和機１は通風路８の設け方や冷却ファンの構成など、制御部６を冷却するための部材の一部が第１の実施形態や第２の実施形態と異なる。しかし、その他の点は前述の第１や第２の実施形態と同様である。そこで、第１や第２の実施形態と共通する部分は特に説明する場合を除き、援用するものとして、説明、図示を省略する。
【００６９】
まず、図９において、室内部２に破線で示す室内ファン２５ｂ（シロッコファン）が設けられ、仕切壁５を貫くように、室内ファンモーターＭ２が設けられる点は第２の実施形態と同様である。そして、室内ファンモーターＭ２は両軸式のモーターであり、室内ファン２５ｂと冷却ファン９２を回転させる。しかし、第２の実施形態と異なり、室内ファンモーターＭ２を冷却するため室外部４側に設けられる冷却ファン９２（自冷ファン）はプロペラファンではなく、シロッコファンである。そして、室内ファン２５ｂが回転すると、冷却ファン９２も回転する。
【００７０】
そして、室外ファン４３及び室外ファン４３を回転させる室外ファンモーターＭ４が仕切壁５を隔て、室外部４側に設けられる点は第２の実施形態と同様である。尚、図９では、便宜上、室外ファン４３は図示を省略している。又、制御部６は箱形の筐体６０（電装ボックス）を含み、回路や基板は筐体６０内に収められる点も第１、第２の実施形態と同様である。
【００７１】
又、制御部６と室外部４を結ぶように通風路８が設けられる点は第１、第２の実施形態と同様である。通風路８のうち、制御部６側の端は制御部６の筐体６０に差し込まれる。又、通風路８のうち、室外部４側の端は室外ファン４３の後方位置に配される。しかし、通風路８途中に、通風路８が冷却ファン９２のケーシングとなるように、冷却ファン９２が配される点で異なる。
【００７２】
そして、室外ファン４３が回転すると、室外部４側が負圧となる。これにより、室内側の空気が制御部６を通り室外部４内を経て室外に排出される気流が生ずる。更に、冷却ファン９２も、制御部６から空気が冷却ファン９２に向けて流れ込むように（冷却ファン９２が室内に対して負圧側となるように）回転する。言い換えると、冷却ファン９２は室外部４方向に空気を排出する（室外部４に向けて空気を送る）方向で回転する。尚、本実施形態での気流の方向の一例を図９に白抜矢印で示す。
【００７３】
気流は制御部６を通るので、制御部６で生じた熱により温められた空気が室外部４方向に流れる。これにより、制御部６の温度は低く維持される。又、冷却ファン９２も室内から制御部６を経由した空気を引き込むので、室外ファン４３だけで制御部６から室外部４に向けて空気を導くよりも、制御部６から室外部４に流れ込む風量、風圧を高めることができる。
【００７４】
このようにして、本実施形態の空気調和機１では、第２の実施形態と同様に室内ファン２５ｂを回転させる室内ファンモーターＭ２を冷却する冷却ファン９２が室外部４に設けられ、通風路８は冷却ファン９２に電装部（制御部６や記憶部６２や筐体６０）内の空気を導き、冷却ファン９２は電装部から冷却ファン９２方向に空気を流す方向で回転する。これにより、第２の実施形態と同様の効果が得られる。
【００７５】
そして、本実施形態に示すように冷却ファン９２を通風路８の途中に設けるようにして、通風路８は室外ファン４３の吸気側に電装部（制御部６や記憶部６２や筐体６０）内の空気を導き、冷却ファン９２は電装部（制御部６や記憶部６２や筐体６０）から室外部４方向に空気を流す方向で回転するようにしてもよい。
【００７６】
このように、冷却ファン９２を通風路８の途中に設けることにより、冷却ファン９２により電装部（制御部６や記憶部６２や筐体６０）から室外部４方向により多くの空気を確実に送ることができる。従って、電装部から室外部４に向けて流れる空気の量を増やすためのモーターやファンを別途設けることなく、電装部の冷却能力を高めることができる。又、冷却ファン９２は室内ファンモーターＭ２を冷却するために用いられるとともに、電装部冷却用のファンとしても用いられ、１つのモーターを効率よく用いることができる。
【００７７】
又、冷却ファン９２は通風路８をケーシングとしたシロッコファンである。これにより、電装部（制御部６や記憶部６２や筐体６０）から冷却ファン９２（室内ファンモーターＭ２）を経て室外部４に流れる空気の量を十分に増やしやすくなり、電装部（制御部６や記憶部６２や筐体６０）やモーターの冷却能力を高めることができる。
【００７８】
次に、他の実施形態を説明する。第２、第３の実施形態では、制御部６から室外部４への通風路８の途中にシロッコファンの冷却ファン９２を設け、通風路８をケーシングとする例を説明した。しかし、例えば、シロッコファンではなく、第１の実施形態と同様にプロペラファンを制御部６から室外部４への通風路８の途中に設けても良い。
【産業上の利用可能性】
【００７９】
本発明は室内部と室外部が一体的に設けられた空気調和機に利用することができる。
【符号の説明】
【００８０】
１      空気調和機                    ２      室内部
２０    筐体                          ２１    吸込口
２２    吹出口                        ２３    送風通路
２４    送風ダクト                    ２５ａ    室内ファン（クロスフローファン）
２５ｂ  室内ファン（シロッコファン）  ２６    ルーバー
２７    室内熱交換器                  ２８    加熱部
３      底板                          ３０    外装カバー
４      室外部                        ４１    圧縮機
４２    室外熱交換器                  ４３    室外ファン
４７    冷媒管                        ５      仕切壁
６      制御部（電装部）              ６０    筐体（電装部）
６２    記憶部（電装部）              ６３    温度検知部
７      操作部                        ８      通風路
９１    冷却ファン                    ９２    冷却ファン
Ｍ２    室内ファンモーター            Ｍ４    室外ファンモーター
【図１】
2012154541.tif 000003
【図２】
2012154541.tif 000004
【図３】
2012154541.tif 000005
【図４】
2012154541.tif 000006
【図５】
2012154541.tif 000007
【図６】
2012154541.tif 000008
【図７】
2012154541.tif 000009
【図８】
2012154541.tif 000010
【図９】
2012154541.tif 000011
【図１０】
2012154541.tif 000012